(57)【要約】【課題】表面に皮膜層がコーティングされた基材において、皮膜層が基材表面全体に形成されていることを簡易にかつ精度よく判別可能な検査方法を提供すること。【解決手段】基材本体と、この基材本体の表面に形成された皮膜層とからなる基材に対して、皮膜層が形成された面の検査領域に、所定の検査液を付着させる検査液付着させて、その検査液を付着させた前記検査領域に光を照射し、その検査領域各部で反射または透過した光の光量の違いを検出することで、基材への検査液の付着度合いを測定し、基材本体に形成された皮膜層の有無を判別する。【選択図】図１
2006189348.tif 000002
【特許請求の範囲】
【請求項１】
基材本体とその表面に形成した透明皮膜層とからなる基材の表面所定検査領域に検査液を付着させる検査液付着工程と、
検査液が付着した前記検査領域に光を照射する光照射工程と、
前記検査領域に光が照射されて生じる反射又は透過光の光量を検出する光量検出工程と、
前記反射又は透過光の光量に基づいて、当該検査領域での皮膜層の有無を判別する判別工程と、を有していることを特徴とする表面検査方法。
【請求項２】
前記検査液付着工程において、前記検査液を気化させた雰囲気中に、その雰囲気よりも低い温度に保った基材を接触させ、そのときの凝結現象を利用して当該検査領域に検査液を付着させるようにしている請求項１記載の表面検査方法。
【請求項３】
前記検査液付着工程において、霧状にした検査液を前記検査領域に吹き付けて付着させるようにしている請求項１記載の表面検査方法。
【請求項４】
前記光照射工程において、前記検査領域に対し、平行光に近い光を、前記光量検出工程における反射又は透過光の検出方向と同一方向又は異なった方向から照射するようにしている請求項１から３のいずれかに記載の表面検査方法。
【請求項５】
前記検査液が水である請求項１から４のいずれかに記載の表面検査方法。
【請求項６】
前記基材本体が酸素または二酸化炭素の少なくともいずれか一方のガスを透過し、前記皮膜層が前記基材本体を透過するガスを透過しない材料から構成されている請求項１から５のいずれかに記載の表面検査方法。
【請求項７】
前記基材本体が樹脂を素材とするものである請求項１から６のいずれかに記載の表面検査方法。
【請求項８】
前記基材本体がＰＥＴを素材とするものである請求項１から７のいずれかに記載の表面検査方法。
【請求項９】
前記基材が、食品用容器を構成するものである請求項１から８のいずれかに記載の表面検査方法。
【請求項１０】
基材本体とその表面に形成した透明皮膜層とからなる基材の表面所定検査領域に検査液を付着させる検査液付着装置と、
前記検査領域に光を照射する光照射装置と、
前記検査領域に光が照射されて生じる反射又は透過光の光量を検知し、検知した光量を示す光量信号を送信する光量検出装置と、
前記光量信号を受信し、その光量信号の示す値に基づいて皮膜層の有無を判別する情報処理装置とを有していることを特徴とする表面検査装置。
【請求項１１】
前記情報処理装置が、
前記光量信号を受信し、その値をメモリの所定領域に設定された光量信号格納部に格納する光量信号受信部と、
前記光量信号格納部に格納された光量信号の値を読み出し、その値が基準値と比べて所定以上の差を有するか否かを判別する判別部と、
前記判別部において、所定以上の差を有すると判別された場合に、前記検査領域内に皮膜層の無い部分が存在する旨を出力する出力部とを備えている請求項１０記載の表面検査装置。
【請求項１２】
前記光量検出装置が、検査領域各部での反射又は透過光の光量の値を示す光量信号を画像データとして送信するものである請求項１１記載の表面検査装置。
【請求項１３】
前記光照射装置が、１又は複数のＬＥＤを有したものであって、前記光量検出装置による反射又は透過光の検出方向と同一方向又は異なった方向から、平行光に近い光を前記検査領域に照射するように配置されている請求項１０から１２のいずれかに記載の表面検査装置。
【請求項１４】
検査室を更に備え、その検査室内部に搬送された基材に対し、その検査領域に検査液を付着させ、光を照射するようにしたものであって、前記検査空間を形成する壁に、前記検査領域からの反射又は透過光を外部へ導出するための窓部を設けている請求項１０から１３のいずれかに記載の表面検査装置。
【発明の詳細な説明】
【技術分野】
【０００１】
本発明は、表面に皮膜層がコーティングされた基材の表面検査方法に関するものである。
【背景技術】
【０００２】
従来、金属表面にほどこされる防錆用のメッキ層や、板材表面にほどこされる光沢維持用の樹脂層、あるいはプラスチック等の樹脂成形品にほどこされる酸素遮断用の薄膜などのように、基材本体の表面にごく薄い皮膜層をコーティングした基材を構成する技術がさまざまな分野において用いられている。
【０００３】
例えば、ＰＥＴボトル等の樹脂成形品にほどこされる皮膜層は、プラズマＣＶＤ等の手法でＳｉ、ＳｉＯ、ＳｉＯ２等を樹脂成形品表面に堆積させるものであり、通常厚さ数十ｎｍ〜数μｍオーダーの薄膜に形成される（例えば特許文献１）。
【０００４】
しかしながら、このような皮膜層は、膜厚が極めて小さいことに加えて透明な性質を有することから、皮膜層が全体に亘ってコーティングされているか否かを簡単に判別することは極めて難しい。
【０００５】
もちろん、大がかりな分析装置や顕微鏡等を用いて、しかも時間をかければ、その検査は可能であろうが、ＰＥＴボトル等の大量生産品で全数検査をするとなると、時間がかかりすぎるといった点や、形状が複雑なものや大きいものは検査が難しいなどの点から、そのような手法を採用することはできない。
【０００６】
また、有色の皮膜層に限れば、反射光の色濃度に基づいて前記皮膜層の検査を行うといった測定方法がある（例えば特許文献２）ものの、皮膜層が無色透明であると検査できないという致命的な欠点がある。
【０００７】
こういったことから、簡単かつ迅速に皮膜層の有無を判別できる表面検査方法が従来切望されている。
【特許文献１】特開２００４−１３７４１９号公報
【特許文献２】特開２００３−４６４８号公報
【発明の開示】
【発明が解決しようとする課題】
【０００８】
そこで本発明は、従来のように皮膜層そのものを検出するという発想から完全に脱却し、基材表面に水等の検査液を付着させると、皮膜層が形成されている部位と、基材本体が露出している部位とでは、検査液の付着態様が異なることに着目して初めてなされたものであって、表面に皮膜層がコーティングされた基材において、皮膜層が基材表面全体に形成されていることを簡易にかつ精度よく判別可能な表面検査方法等を提供することをその主たる所期課題としたものである。
【課題を解決するための手段】
【０００９】
すなわち本発明にかかる表面検査方法は、基材本体とその表面に形成した透明皮膜層とからなる基材の表面所定検査領域に検査液を付着させる検査液付着工程と、検査液が付着した前記検査領域に光を照射する光照射工程と、前記検査領域に光が照射されて生じる反射又は透過光の光量を検出する光量検出工程と、前記反射又は透過光の光量に基づいて、当該検査領域での皮膜層の有無を判別する判別工程と、を有していることを特徴とする。
【００１０】
このようなものであれば、例えばペットボトルの容器のように、基材本体と皮膜層とが共に無色透明で、皮膜層の有無を検知するのが難しい場合であっても、皮膜層が形成された側の基材表面上に、検査液を付着させることにより、皮膜層の形成されていない部分と形成されている部分との間で、検査液の付着状態の差異に起因して光の散乱度に違いが生じるため、基材に照射した光の反射光または透過光の強度を検出するだけで、皮膜層の状態を迅速、簡易かつ正確に検査することができる。ここで反射光とは、正反射した光又は乱反射した光のことであり、透過光についても同様である。
【００１１】
また、前記検査領域全体に亘って簡易な方法で一様に検査液を付着させ、検査の確実性を向上させるには、前記検査液付着工程において、前記検査液を気化させた雰囲気中に、その雰囲気よりも低い温度に保った基材を接触させ、そのときの凝結現象を利用して当該検査領域に検査液を付着させるようにすればよい。このような方法を用いることで、基材の形状が容器形状等の複雑なものであっても、その表面（内面）に対して簡単に検査液を付着させることも可能となる。
【００１２】
その他の検査液付着工程の一例としては、例えば前記検査液付着工程において、霧状にした検査液を前記検査領域に吹き付けて付着させることが挙げられる。
【００１３】
散乱度の違いが反射又は透過光の強度の違いに顕著に現れるようにし、検査の確実性をより向上させるには、前記光照射工程において、前記検査領域に対し、平行光に近い光を、前記光量検出工程における反射又は透過光の検出方向と同一方向又は異なった方向から照射することが望ましい。
【００１４】
前記検査液に水を用いるようにすれば、水は極めて入手容易でかつ安価であることから、基材が大量生産される製品の場合、基材の表面検査を低コストで行うことができるという効果を得られる。また、大気中に含まれる水分を利用することもできるため、検査液を保存・管理するための設備等が不要となり、簡単な設備で検査を行うことが可能となる。ここでいう水とは、厳密な意味での純水である必要性はなく、工業用・家庭用で用いられるような、ある程度の純度が保たれたものであればよい。
【００１５】
本発明を適用して顕著な効果を得られる具体的な基材の例としては、前記基材本体が酸素または二酸化炭素の少なくともいずれか一方のガスを透過し、前記皮膜層が前記基材を透過するガスを透過しない材料から構成されているもの、例えば、基材本体が酸素や二酸化炭素を透過するＰＥＴ等の樹脂成形品で、皮膜層が例えばＳｉ、ＳｉＯ、ＳｉＯ２等で構成されているものを挙げることができる。
【００１６】
さらに、このような基材が、食品用容器を構成していてもよい。この場合、例えば水等の無害な液体を検査に用いることで、食品用容器のような衛生上極めて注意を払う必要がある基材についても、検査の後に特別な洗浄等を行う必要がなくなるため、より簡単かつ迅速に検査を行うことができる。なお、このような食品用容器の一例として、表面に皮膜処理が施されたプラスチック製のトレイ、食品を収容するためのプラスチックケース、飲料水等のペットボトル、食品包装用の樹脂フィルム、プラスチック製や紙製の食器等が挙げられる。
【００１７】
本発明に係る表面検査方法を具現化する装置としては、基材本体及びその表面に形成した透明皮膜層からなる基材の表面所定検査領域に検査液を付着させる検査液付着装置と、前記検査領域に光を照射する光照射装置と、前記検査領域に光が照射されて生じる反射又は透過光の光量を検知し、検知した光量を示す光量信号を送信する光量検出装置と、前記光量信号を受信し、その光量信号の示す値に基づいて皮膜層の有無を判別する情報処理装置とを有しているものを挙げることができる。
【００１８】
前記情報処理装置のより具体的な実施態様としては、前記情報処理装置が、前記光量信号を受信し、その値をメモリの所定領域に設定された光量信号格納部に格納する光量信号受信部と、前記光量信号格納部に格納された光量信号の値を読み出し、その値が基準値と比べて所定以上の差を有するか否かを判別する判別部と、前記判別部において、所定以上の差を有すると判別された場合に、少なくとも前記検査領域内に皮膜層の無い部分が存在する旨を出力する出力部とを備えているものが考えられる。
【００１９】
オペレータによる視覚確認を容易にするには、前記光量検出装置が、検査領域各部での反射又は透過光の光量の値を示す光量信号を画像データとして送信するものであることが望ましい。
【００２０】
検査液の付着を容易にするとともに、反射光又は透過光の検出の際に周囲の迷光が極力入り込まないようにするには、ほぼ密閉可能な検査室を更に備え、その検査室内部に搬送された基材に対し、その検査領域に検査液を付着させ、光を照射するようにしたものであって、前記検査空間を形成する壁部材が、前記検査領域からの反射又は透過光を外部へ導出するための窓部を有し、その導出された反射又は透過光の光量を前記光量検出装置で検出するようにしているものが好ましい。
【発明の効果】
【００２１】
上述のように、本発明に係る表面検査方法によれば、表面に透明な皮膜層がコーティングされた基材において、皮膜層が基材表面全体に形成されているか否かを簡易にかつ正確に判別することが可能となる。
【発明を実施するための最良の形態】
【００２２】
以下、本願発明の第一の実施形態について、図１から図４を参照しつつ説明する。
【００２３】
本実施形態に係る表面検査装置１は、例えばペットボトル１０の表面皮膜層１４が正しく形成されているか否かを検査するものであり、皮膜層１４の一部欠落した不良品を排除するために用いられる。
【００２４】
まず最初に、ペットボトル１０の構造について説明しておくと、図１に示すように、ペットボトル１０は周知の如く、中空ボディ１１に蓋（図示しない）を取り付けたものである。ボディ１１は、薄い透明な基材１２から構成されていて、この基材１２は、図２（ａ）にその断面を示すように、ＰＥＴを素材とする基材本体１３と、その基材本体１３の内側の表面（内面）をコーティングする皮膜層１４とからなる。皮膜層１４は、厚さ数十ｎｍ〜数μｍオーダーの非常に薄いもので、Ｓｉ、ＳｉＯ、ＳｉＯ２等を素材とする。この皮膜層１４には、酸素及び二酸化炭素を通さない性質の素材が選ばれており、ＰＥＴが酸素及び二酸化炭素を通過させる性質を有している点を補完して、ボディ１１の内部に収容する飲料水やジュースなどが酸化等により変質するのを防止する役割を果たしている。ところで、同図（ｂ）に示すように、皮膜層１４が部分的に形成されていない不良な皮膜状態の場合は、基材本体１１ａが内面に露出し、外気に含まれる酸素や二酸化炭素等が基材本体１１ａを介してペットボトル１０の内部に導通されるため、そのペットボトル１０を不良品として排除する必要が生じる。
【００２５】
しかしてこの表面検査装置１は、図１に概略的に示すように、ペットボトル１０を搬送する搬送装置２０と、このペットボトル１０が所定位置に搬送されたことを検知する位置検出センサ２１と、前記所定位置に搬送されたペットボトル１０の内部に検査液である水を付着させる検査液付着装置３０と、ペットボトル１０の所定検査領域に対して可視光Lを照射する光照射装置４０と、その検査領域に光Lが照射されて生じる主として乱反射光の光量を検出する光量検出装置５０と、さらにそれら各装置類の制御や情報収集等を行う情報処理装置６０とを備えている。
【００２６】
搬送装置２０は、例えばベルトコンベア等を利用したもので、多数のペットボトルを起立させた状態で、図１の紙面に直交する方向に、次々と搬送するように構成されている。
【００２７】
位置検出センサ２１には、超音波センサや光センサなどの非接触タイプのものを用いており、後に詳述するが、検査液である水（湯）をペットボトル１０の内部に注入する検査液注入位置と、その後、ペットボトル１０に光を照射して表面検査を行う位置である表面検査位置とに、当該ペットボトル１０が来たことをそれぞれ検知し、その旨を示す第１位置検出信号及び第２位置検出信号をそれぞれ出力する。
【００２８】
検査液付着装置３０は、詳細に関しては図示を省略するが、例えば、検査液である高温（例えば８０℃〜１００℃）の水を貯蔵するタンクと、そのタンクに配管を介して接続されたノズルと、ノズルを開閉するためのバルブとを備えており、前記検査液注入位置に来たペットボトル１０に、前記ノズルから高温液体状態にした水を一定量注入し、当該ペットボトル１０内で湯気を発生させ、その内面に一様に水を付着させるものである。
【００２９】
光照射装置４０は、詳細に関しては図示を省略するが、例えば配線基板と、その配線基板に直線状に１乃至数列並べたＬＥＤと、それらを保持するケーシングとを備えたものであり、前記表面検査位置にあるペットボトル１０の検査領域１０ａ（ここではペットボトルの起立面）に対して約４５度の角度で平行光に近い光Ｌを照射するように配置してある。
【００３０】
光検出装置５０は、例えば、ＣＣＤカメラ等のエリアイメージセンサを備えたもので、その撮像面を前記起立面に対向させて配置してある。そして、光Ｌを照射されたペットボトル１０の検査領域１０ａ各部からの光量を検知し、それらの値を示す光量信号をそれぞれ出力する。ここでは、それら光量信号は画像データ形式で、後述する情報処理装置６０に送信されるようにしている。
【００３１】
情報処理装置６０は、構造的には図３に示すように、ＣＰＵ６０ａ、メモリ６０ｂ、ディスプレイ６０ｅ、入力手段（マウスやキーボード）６０ｃ、通信インタフェース６０ｄ等を備えた汎用乃至専用のコンピュータであり、前記メモリ６０ｂに記憶させたプログラムにしたがってＣＰＵ６０ａやその周辺機器が協働して動作することにより、図４に示すように、前記各位置検出信号や光量信号を受信する受信部６２、前記検査液付着装置３０等を制御する制御部６３、受信した光量信号の値が基準値に比べて所定以上離れているか否かを判別する判別部６４等としての機能を発揮する。
【００３２】
次に、このような構成の表面検査装置１を用いてペットボトル１０の皮膜層１４の有無を検出する工程について以下に説明する。
【００３３】
ペットボトル１０は、蓋がついていない状態で前記搬送装置２０により、次々搬送され、全て同様に検査されるが、ここではある一つのペットボトル１０に着目して説明する。
【００３４】
ペットボトル１０が前記検査液注入位置に至ると、位置検出センサ２１がこれを検知し（ステップＳ１）、その旨を知らせる第１位置検出信号を送信する。
【００３５】
これを情報処理装置６０の受信部６２が受信すると、制御部６３から検査液付着装置３０に検査液注入信号が発される。
【００３６】
この検査液注入信号を検査液付着装置３０が受け取ると、バルブが一定時間開成し、水（湯）が所定量、ノズルから当該ペットボトル１０に注入される。このことにより湯気（気化した水Ｗ）が発生し、前記表面検査位置に搬送されるまでの一定時間の間に、湯気がペットボトル１０の内面に触れて結露し、均一に拡散してペットボトル１０の内面全体に亘って水が付着する（ステップＳ２）。
【００３７】
このときの付着態様を図５に示す。同図（ａ）は、良好な皮膜層１４の場合を示しており、結露した水Ｗは均一薄層をなして基材の表面に広がっている。同図（ｂ）は、皮膜層１４が一部欠落した不良品を示している。水Wは皮膜層１４上では均一な薄層を形成するが、基材本体１１ａ上では充分に拡がらず、その表面張力によって細かな水滴となって付着する。このように水Wの付着態様が異なるのは、皮膜層１４と基材本体１３との素材の違いや、表面荒さの微妙な違いが影響しているのではないかと考えられている。
【００３８】
次に表面検査位置にペットボトル１０が来ると、それを位置検出センサ２１が検知し（ステップＳ３）、その旨を知らせる第２位置検出信号を送信する。そしてこの第２位置検出信号を情報処理装置６０の受信部６２が受信し、そのときに光検出装置５０から送信されてくる光量信号をメモリ６０ｂの所定領域内に設定した光量信号格納部６１にラッチする（ステップＳ４）。
【００３９】
この表面検査位置にあるときのペットボトル１０の状態を示しているのが図６である。この位置では、ペットボトル１０に光照射装置４０からの光Ｌが照射されている。同図（ａ）に示すように、もし皮膜層１４が正しく形成されている場合は、水Wは層状をなして基材１２の表面に付着するため、基材１２の表面に対してローアングル（入射角約４５度）で照射された光Lは、乱反射することなく、対称に正反射または透過する。したがって、基材Wの表面と垂直な方向、すなわち光検出装置５０の方向に向かう反射光はほとんど発生しない。一方、同図（ｂ）に示すように、皮膜層１４の形成されていない欠落箇所が検査領域１０ａに存在した場合、欠落箇所では水Wが滴状になって離散しているため、その部分で乱反射が生じ、光検出装置５０の方向に向かう反射光が発生することとなる。したがって、ラッチされた光量信号の値が、基準値に比べて所定以上高い場合は、乱反射が生じているのであるから皮膜層１４に異常が有り、そうでない場合は正常であると判断できる。
【００４０】
すなわち、次に判別部６４が、前記光量信号格納部６１から光量信号を取得し、それら各光量信号の値と予め設定された基準値とを比較する（ステップＳ５）。そして、光量信号の値が基準値に比べて所定以上離れているか否かをそれぞれ判別し（ステップＳ６）、例えば、所定以上高い場合は皮膜層１４に異常有り、そうでない場合は正常、という２値を示す判別結果データを生成する（ステップＳ７、Ｓ８）。
【００４１】
そして、その判別結果データ内に、異常データが含まれていた場合には、ディスプレイ６０ｅを有する出力部６５が、皮膜層１４に異常が有る旨をディスプレイ６０ｅに表示し、そうでない場合は、異常なしの旨をディスプレイ６０ｅに表示する（ステップＳ８）。また、例えば前記判別結果データを二値化画像データとしてディスプレイ６０ｅに出力し、異常部分の場所のみを別色（例えば周りが黒でその部分のみを白にする等）にして表示するようにしてもよい。
【００４２】
その後、次に搬送されてくるペットボトル１０があれば、もう一度ステップＳ１に戻ってそのペットボトル１０の検査を行う。なお、異常があると判断されたペットボトル１０は別途廃棄するようにする。
【００４３】
このように、上記実施形態によれば、ペットボトル１０の内部に形成されている皮膜層１４そのものを検知するのではなく、皮膜層１４の形成されていない部分と形成されている部分との間で生じる水の付着状態の相違を、照射した光Ｌが水（検査液）で反射又は透過する際の散乱度合いから検出するようにしているため、無色透明で厚さが極めて小さい皮膜層１４の状態を簡易にかつ正確に検査することができる。
【００４４】
また、検査液として水を用いているため、飲料用に用いるペットボトル内部の皮膜層１４に対して付着させても、衛生上問題が生じにくく、検査後に洗浄等を施す必要がない。
【００４５】
なお、本発明は、前記実施形態に限られるものではない。
【００４６】
例えば、光量検出装置を用いず、目視による検査を行うようにしてもよい。前記実施形態の場合であれば、目視した場合には、皮膜層の欠落部分は、他の部位に比べ明るく見えることとなる。また高温の水の注入も手動で行って構わない。このようにすれば装置を非常に簡単なものにできる。
【００４７】
さらに、光検出装置で検出した光量検出信号そのもの（撮像した画像）を、そのまま撮像画像としてディスプレイに表示させてもよい。こうすることで、検査者は検査対象のペットボトルの状態をより明確に知ることが可能になる。
【００４８】
また、基材本体に形成された皮膜層の良否を判断する手法は、予め記憶した基準値との比較によって行うものに限定されるものではない。例えば、全数検査を行った後、その平均値を求め、その平均値を基準値として皮膜層の良否を判断してもよい。このようにすると、同一の検査条件で得られた光量に基づいて皮膜層の良否が判断可能となるため、予め定められた基準値を用いた場合と比して、気温や湿度といった検査条件の影響を受けにくくなるという効果がある。
【００４９】
加えて、この表面検査装置に、ほぼ密閉された検査室を設けて、その内部で検査を行うようにしてもよい、このようにすれば外部からの迷光等によるノイズをカットできる上、室内を一定環境に保って水の付着等を確実に行うことができるため、精度及び確実性の高い検査が可能になる。
【００５０】
その検査室の一例を図８に示す。なお、同図において、前記実施形態に対応する要素については同じ符号を付している。この検査室１００は、内面を光を反射させない黒色等でコーティングされた壁１１０で形成したものであり、略密閉された空間を形成する。そして壁１１０の一部には、ペットボトル搬出入のための図示しない出入口が設けられているとともに、窓１１０ａが設けられていて、この窓１１０ａの外側に光検出装置５０が設置されている。
【００５１】
また検査液付着装置は、搬入されたペットボトルを冷却すべくこの検査室内を冷却する冷却器１２０と、冷却されたペットボトル１０の内部に、図示しない空気源より外部大気温程度に保たれた空気を所定量供給する空気供給部１３０とから構成している。このような構成でも、ペットボトルの内面に結露により検査液である水を付着させることができる。その他に関しては、前記実施形態同様である。
【００５２】
また、前記図示例の場合、空気供給部１３０から供給される空気は、冷却部１２０によるペットボトル１０の冷却度合いにもよるが、水蒸気を多く含む空気、すなわち高湿度であることが好ましい。これによって、ペットボトル１０の内部に確実に水を凝結（結露）させることが可能となる。
【００５３】
その他、例えば、検査対象は、ペットボトルを構成するものに限定されるものではなく、皮膜層を備えた基材本体からなる基材で形成されている部材、例えば防錆用のメッキ層が形成された金属製品、表面に光沢維持用の樹脂層が形成された板材、反射防止膜等が形成されたガラス材等であってもよく、また、検査液についても水に限定されるものではなく、基材に含まれる皮膜層の種類や性質によって、適宜選択し得るものである。特に基材本体と皮膜層とにそれぞれ検査液を付着させた場合に、表面張力等により付着態様がそれぞれで異なって光の散乱態様が顕著に変化すれば、本発明の適用が可能となる。
【００５４】
また検査液付着装置は、基材と周囲温度との差を利用して凝結により検査液を基材表面に付着させるものに限られず、噴霧器を利用して、霧状の検査液を基材表面に直接吹き付けるようにしたものでも構わない。
【００５５】
また、光照射装置として上記実施形態ではＬＥＤを用いているが、その他の光源、すなわち蛍光灯や白熱灯、レーザー光源等を用いることもできる。なお、このような光照射部から照射される光の波長は、特に限定されるものではなく、可視光領域以外の光でも構わない。
【００５６】
加えて、前述した光検出装置も、検査領域で乱反射した光（前記実施形態では垂直な方向）を検出するように設置されることに限られない。例えば、正反射した光や、基材を透過した光を検出するように設置しても構わない。この場合、散乱した部分の光量が減るため、前記実施形態のようにペットボトルに水を付着させるような場合には、所定以上光量が大きい場合に異常と判断するのではなく、所定以上光量が小さい場合に異常と判断することとなる。
【００５７】
その他、本発明は上述した図示例、説明の一部を適宜組み合わせることはもちろん可能であるし、それらに限られず、その趣旨を逸脱しない範囲で種々変形可能であることは言うまでもない。
【図面の簡単な説明】
【００５８】
【図１】本発明の一実施形態における表面検査装置の全体を概略的に示す概略図。
【図２】図１におけるＡ部拡大部分断面図。
【図３】同実施形態におけるペットボトルの内面に水が付着した際の態様を示す部分断面図。
【図４】同実施形態における情報処理装置の模式的構造図。
【図５】同実施形態における情報処理装置の機能ブロック図。
【図６】図３において光を照射した際の様子を示す部分断面図。
【図７】同実施形態における表面検査方法を示すフローチャート。
【図８】本発明の他の実施形態に係る表面検査装置を概略的に示す概略図。
【符号の説明】
【００５９】
１    ・・・表面検査装置
１０  ・・・ペットボトル
１２  ・・・基材
１３  ・・・基材本体
１４  ・・・皮膜層
２０  ・・・搬送装置
２１  ・・・位置検出センサ
３０  ・・・検査液付着装置
４０  ・・・光照射装置
５０  ・・・光検出装置
６０  ・・・情報処理装置
１００ ・・・検査室
１１０・・・壁
１１０ａ・・・窓
Ｗ    ・・・水
【図１】
2006189348.tif 000003
【図２】
2006189348.tif 000004
【図３】
2006189348.tif 000005
【図４】
2006189348.tif 000006
【図５】
2006189348.tif 000007
【図６】
2006189348.tif 000008
【図７】
2006189348.tif 000009
【図８】
2006189348.tif 000010